(57)【特許請求の範囲】
【請求項１】
プリント基板上の所定位置に付されたマークを認識して上記プリント基板に電子部品の実装を行う電子部品実装装置であって、
上記マークを照明する認識用の照明装置として、
照明光の入射面及び出射面の少なくとも一方が屈折率の異なる複数の小領域に区画され、少なくとも最も内側に位置する小領域の光通過面が、部材本体の平面方向に略平行な面をなす光路調整部材であって、照明光が照射されるべき対象物と該対象物に向かって照明光を照射する照明光源部との間に配置され、該照明光源部から入射した照明光を上記各小領域でそれぞれ異なる屈折率で屈折させて出射させることにより、該出射光を上記対象物を含む所定領域に集光させる光路調整部材を有するとともに、
上記照明光源部において、上記光路調整部材の各小領域に対向し、所定の基板上で、直径の異なる円周毎に光源グループを構成しつつ、同心円状に配列される複数の光源が設けられ、各光源がそれぞれ単独で複数色を発色し得る光源である、照明装置を装備していることを特徴とする電子部品実装装置。
【請求項２】
上記光路調整部材における照明光の入射面及び出射面の少なくとも一方が同心円をなす複数の帯状小領域に区画され、これら帯状小領域の出射側の屈折率は、中心に近いほど小さく設定されていることを特徴とする請求項１記載の電子部品実装装置。
【請求項３】
上記光路調整部材における複数の小領域の光通過面は、各々曲率が異なる曲面の一部によりそれぞれ構成されていることを特徴とする請求項１又は２に記載の電子部品実装装置。
【請求項４】
上記光路調整部材における照明光の入射面及び出射面の両方が屈折率の異なる複数の小領域に区画され、各小領域の両方の光通過面は共に凸状曲面の一部により構成されていることを特徴とする請求項３記載の電子部品実装装置。
【請求項５】
上記光路調整部材における各小領域の光出射面が磨りガラス状に形成されていることを特徴とする請求項１〜４のいずれか一に記載の電子部品実装装置。
【請求項６】
上記各光源が、プリント基板又はそれに付されたマークの色に応じて、その補色関係の色の照明光を照射し得ることを特徴とする請求項１〜５のいずれか一に記載の電子部品実装装置。
【発明の詳細な説明】
【０００１】
【発明の属する技術分野】
本発明は、プリント基板上の所定位置に付されたマークを認識して上記プリント基板に電子部品の実装を行う電子部品実装装置に関する。
【０００２】
【従来の技術】
周知のように、プリント基板上に電子部品を実装する電子部品実装装置では、実装作業を行う場合に、例えば、ＣＣＤカメラやセンサを用いてプリント基板上のマークや電子部品等の対象物を認識して位置決めが行われる。この対象物の認識に際して、当該対象物及びその近傍に光を照射して対象物を照明する照明装置が用いられる。
図１２に、従来の照明装置の一例を示す。この照明装置５０では、ケース５７の上部中央に対象物５９を認識するためのＣＣＤカメラ５１が取り付けられ、その下方に複数の光源５３（例えば電球やＬＥＤなど）を備えた照明光源部５２が配置されている。この照明光源部５２の中央部には、対象物からの反射光を取り込むための穴部５２ａが形成されている。
この従来例に係る照明装置５０では、図１２において実線矢印で示されるように、上記照明光源部５２の各光源５３から出射された光の一部が、対象物５９に照射され、その反射光が上記穴部５２ａを通過してＣＣＤカメラ５１に取り込まれる。尚、この従来の照明装置５０では、使用時には、上記照明光源部５２の全ての光源５３が点灯させられ、上記対象物５９に向かって均一に光が照射される。
【０００３】
ところで、近年、対象物としてのプリント基板上のマーク部分や電子部品等には、様々な表面状態の材料が利用され、また、種々の表面処理が施されるようになってきた。そして、各種の対象物の色々な表面状態に対応して良好な認識ができるように、照明装置においても様々な改良が加えられている。
図１３は、他の従来例に係る照明装置の照明光源部６２を示している。この照明光源部６２には、多数の光源６３が直径の異なる複数の円周上に（つまり同心円状に）配列され、同一円周上にある光源グループごとに、その光量が調節できるようになっている。そして、対象物の表面状態に応じて当該対象物を認識する上で最適の照明光を照射すべく、各円周単位で光源６３の光量の調節が行われる。
【０００４】
【発明が解決しようとする課題】
しかしながら、かかる照明光源部６２を備えた照明装置においても、点灯を選択された各光源６３の光量が十分でなければ、対象物を認識するために必要な照度が得られず、認識率が低下したり誤検出したりする可能性がある。
また、全ての光源６３が同一平面上に同じ方向に向けて取り付けられているため、光の照射角度は光源６３の指向性に依存することとなり、所望の照射角度において十分な照度を得ることが難しい。このため、例えば光源６３の個数や各光源６３の光量を増やして照度を高めることが考えられるが、この場合には、消費電流が増加し光源が発生する熱によって照度の安定性が低下したり、光源６３の寿命が短くなるなどの問題を招来するおそれがある。
一方、光源６３の取り付け角度を可変にして、照明角度を任意に設定できるようにすることも考えられるが、この場合には、装置の構造が複雑で大掛かりなものとなり、コストアップを招くことになる。また、照射角度の調整も、実際には煩雑で容易でなく、実用性に乏しいという難点があった。
以上のように、従来の照明装置を備えた電子部品実装装置では、実装作業を行うに際して、認識対象物の種々の表面状態に対応して好適な照明光を照射し、安定した認識を行うことがなかなかに難しいのが実状であった。
【０００５】
本発明は、上記技術的課題に鑑みてなされたもので、光源の個数や各光源の光量を増やすことなく、また、簡単な構造で、対象物に対して好適な照明光を照射することができる照明装置を備えることにより、安定した対象物の認識及び実装作業を行うことができる電子部品実装装置を提供することを目的とする。
【０００６】
【課題を解決するための手段】
本願の請求項１に係る発明（以下、第１の発明という）は、プリント基板上の所定位置に付されたマークを認識して上記プリント基板に電子部品の実装を行う電子部品実装装置であって、上記マークを照明する認識用の照明装置として、照明光の入射面及び出射面の少なくとも一方が屈折率の異なる複数の小領域に区画され、少なくとも最も内側に位置する小領域の光通過面が、部材本体の平面方向に略平行な面をなす光路調整部材であって、照明光が照射されるべき対象物と該対象物に向かって照明光を照射する照明光源部との間に配置されて、該照明光源部から入射した照明光を上記各小領域でそれぞれ異なる屈折率で屈折させて出射させることにより、該出射光を上記対象物を含む所定領域に集光させる光路調整部材を有するとともに、上記照明光源部において、上記光路調整部材の各小領域に対向し、所定の基板上で、直径の異なる円周毎に光源グループを構成しつつ同心円状に配列される複数の光源が設けられ、各光源がそれぞれ単独で複数色を発色し得る光源である、照明装置を装備していることを特徴としたものである。
【０００７】
本願の請求項２に係る発明（以下、第２の発明という）は、上記第１の発明において、上記光路調整部材における照明光の入射面及び出射面の少なくとも一方が同心円をなす複数の帯状小領域に区画され、これら帯状小領域の出射側の屈折率は、中心に近いほど小さく設定されていることを特徴としたものである。
【０００８】
また、本願の請求項３に係る発明（以下、第３の発明という）は、上記第１又は２の発明において、上記光路調整部材における複数の小領域の光通過面は、各々曲率が異なる曲面の一部によりそれぞれ構成されていることを特徴としたものである。
【０００９】
更に、本願の請求項４に係る発明（以下、第４の発明という）は、上記第３の発明において、上記光路調整部材における照明光の入射面及び出射面の両方が屈折率の異なる複数の小領域に区画され、各小領域の両方の光通過面は共に凸状曲面の一部により構成されていることを特徴としたものである。
【００１０】
また、更に、本願の請求項５に係る発明（以下、第５の発明という）は、上記第１〜４の発明のいずれか一において、上記光路調整部材における各小領域の光出射面が磨りガラス状に形成されていることを特徴としたものである。
【００１１】
また、更に、本願の請求項６に係る発明（以下、第６の発明という）は、上記第１〜第５の発明のいずれか一において、上記各光源が、プリント基板又はそれに付されたマークの色に応じて、その補色関係の色の照明光を照射し得ることを特徴としたものである。
【００１４】
【発明の実施の形態】
以下、本発明の実施の形態を、添付図面を参照しながら詳細に説明する。
図１は、本発明の実施の形態に係る電子部品実装装置１の全体構成を概略的に示す斜視図である。この電子部品実装装置１は、装置内に搬送されて来たプリント基板１４上の所定位置に付された例えば位置決め用のマーク９を認識し、上記プリント基板１４に部品実装を行うもので、上記マーク９の認識に際してそのマーク９を照明する認識用の照明装置１０を備えている。尚、認識対象であるマーク９の表面状態としては、例えば、その表面にハンダがコーティングされたもの（いわゆる半田マーク）など種々の態様が考えられる。
この照明装置１０は、上記マーク９を撮像するＣＣＤカメラ（不図示）とともにヘッド部１５に組み込まれる。該ヘッド部１５は、ｘｙ２軸ロボットの一部を構成するｘ方向駆動部１７と、そのｘ方向駆動部１７をｙ軸方向に移動させるｙ方向駆動部１８Ａ及び１８Ｂとにより制御される。上記照明装置１０は、このヘッド部１５の駆動に伴ってプリント基板１４の上方で自在に移動できるようになっている。
【００１５】
図２及び図３は、それぞれ、上記照明装置１０の全体構成を示す縦断面図及び分解斜視図である。この照明装置１０では、円筒形状のケース１２の上部中央に対象物を認識するためのＣＣＤカメラ１１が取り付けられ、その下方に複数の光源３をベースプレート４上に備えた照明光源部２が配置されている。この照明光源部２に対向してその出射側では、上記光源３からの照射光の光路を調整するための光路調整板５が、ボルト部材１３を用いて、上記ケース１２の下部に取り付けられている。この実施の形態において、上記光路調整基板５は、上記光源３からの照明光を効率的に取り込むことができるように、上記照明光源部２に近接して配置されている。これら照明光源部２のベースプレート４及び光路調整板５の中央には、各々、装置使用時に、照明光が照射されるべき対象物としてのプリント基板上に付されたマーク（不図示）からの反射光を通過させるための穴部４ａ及び５ａが形成されている。なお、図３では、図面の複雑化を回避するために、光源３を一部省略して示している。
【００１６】
以上の構成を備えた照明装置１０では、上記照明光源部２の各光源３からの光の一部が、上記プリント基板に照射され、その反射光が上記穴部４ａ及び５ａを通過してＣＣＤカメラ１１に取り込まれる。このＣＣＤカメラ１１は、画像認識装置１６に接続されるもので、ＣＣＤカメラ１１に取り込まれた認識対象物からの反射光は、電気信号として画像認識装置１６に伝送され、所定の画像処理が行われることにより画像として認識される。
【００１７】
図４に、上記照明光源部２における複数の光源３の配列状態を示す。この実施の形態では、光源３として例えば白色ＬＥＤが用いられている。図から分かるように、これらの光源３は、円盤形のベースプレート４上で、直径の異なる複数の円周上に（つまり同心円状）に配列されて、４つの光源グループ３Ａ，３Ｂ，３Ｃ及び３Ｄを構成している。このとき、最も内側の円周上に位置する光源グループ３Ａは、上記ベースプレート４の中央に設けられた穴部４ａに沿って配置され、最も外側の円周上に位置する光源グループ３Ｄは、ベースプレート４の周縁部に沿って配置されることになる。これら光源グループ３Ａ〜３Ｄを構成する各光源３は、上記ベースプレート４に対して垂直に配設されて、上記照明光源部２の下側に取り付けられた光路調整板５に揃って指向する。
なお、上記照明光源部２では、ＣＣＤカメラ１１の光軸に対して全ての方向から均等な照度の照明光が照射されるように、光源３を同心円状に配列するようにしたが、均等な照度の光が得られれば、いかなる様式で配列してもよい。
【００１８】
図５ａ〜５ｃに、本実施の形態で用いられる光路調整板５を示す。図５ａ〜５ｃは、それぞれ、上記光路調整板５の平面図，斜視図及び断面説明図である。この光路調整板５は、例えば透明アクリル樹脂により円盤状に形成されたものである。その照明光の出射面は、同心円をなす３つの帯状小領域６，７及び８に区画されており、これら各小領域６，７及び８には、光路調整板５の平面方向に対して、互いに異なる角度をなす光通過面６ａ，７ａ及び８ａが形成されている。また、この光路調整板５には、上記ケース１２への取付け時にボルト部材１３（図２参照）を受合うために、その周囲面から中心方向へ延びる穴部５ｂが設けられている。
【００１９】
この光路調整板５では、上記光出射面において最も内側に位置する小領域６の光通過面６ａが、光路調整板５の平面方向に略平行な面をなしている。一方、その外側に位置する小領域７及び８の光通過面７ａ及び８ａが、各々、この光路調整板５の平面方向に対して所定の角度で傾斜している。本実施の形態では、小領域７における光通過面７ａの傾斜角度が、その外側の小領域８における光通過面８ａのそれよりも小さく設定されている。
なお、この実施の形態では、最も内側に位置する小領域６を除く小領域７及び８について、各々、その最大深さを１ｍｍ、その最大幅を３ｍｍ程度に設定した。また、上記光路調整板５として、透明アクリル製のものを用いたが、これに限定されることなく、例えば透明若しくは半透明のガラス又はプラスチックからなる光路調整板を用いてもよい。
【００２０】
次に、図６を参照しながら、上記照明装置１０の光路調整板５による集光作用について説明する。
図６に示すように、上記照明光源部２の全ての光源３を点灯させた場合、この照明装置１０では、実線矢印で示されるように、上記光路調整板５の最も外側に位置する小領域６Ｃの真上方向から入射する光が、上記光通過面６ｃにおいて角度θだけ屈折する。また、上記小領域６Ｂの真上方向から入射する光は、上記光通過面６ｂにおいて角度φだけ屈折する。前述したように、この光路調整板５では、光通過面６ｂの傾斜角度が、その外側にある光通過面６ｃのそれよりも小さく設定されているため、この光通過面６ｂにおける屈折角度φは、光通過面６ｃにおける屈折角度θよりも小さくなる。
一方、上記光路調整板５の最も内側に位置する小領域６Ａの真上方向から入射した光は、上記光通過面６ａで屈折せずに（つまり屈折角度０°で）上記光路調整板５を通過する。
この結果、上記光路調整板５を通過した照明光源部２の光は、照明装置１０に対向する面の所定領域に集光させられる。すなわち、この照明装置１０では、上記照明光源部２からの光を光路調整板５を介して集光させることにより、照明装置１０に対向して上記ＣＣＤカメラ１１（図２参照）の光軸上に位置するプリント基板１４及びその上に付されたマーク９に対して好適な照明光を照射することができる。また、この実施の形態では、上記光路調整板５が、照明光源部２に近接して配置されているので、所定の個数若しくは光量の光源３から照明光を効率的に取り込んで上記マーク９に集光させることができる。
【００２１】
このように、本実施の形態に係る照明装置１０では、光源の個数や各光源の光量を増やすことなく、また、照明光の光路調整についての複雑な構造を要することなく、上記プリント基板１４上に付されたマーク９等の対象物を認識する上で好適な照明光を照射することができる。
【００２２】
更に、この照明装置１０では、所定の照明制御手段（不図示）が設けられて、プリント基板１４及びその上に付されたマーク９の表面状態に応じて、上記光路調整板５に対向する照明光源部２における光源３の一部を点灯させたり、光源３の光量を変更したりしてもよい。図7ａ及び７ｂは、異なる表面状態に応じて、光源３の一部が選択的に点灯させられた照明装置１０の断面説明図である。
例えばセラミック製のプリント基板１４に付されたマーク９が半田でコーティングされている場合等、マーク９の表面が鏡面状になっている場合には、ＣＣＤカメラ１１（図２参照）の光軸に対して鈍角をなす方向から光を照射すると、照明光は全反射されて上記ＣＣＤカメラ１１にほとんど入らない。従って、この場合には、図７ａに示すように、最も内側の円周上に位置する光源グループ３Ａ（図４参照）に属する光源３のみを点灯させ、その照明光をマーク９の表面で反射させて上記ＣＣＤカメラ１１に取り込ませる。
【００２３】
他方、例えばガラスエポキシ製のプリント基板に銅マークが付されている場合等、プリント基板１４の表面が鏡面に近い状態になっている場合には、図７ｂに示すように、外側の円周上に位置する光源グループ３Ｃ及び３Ｄ（図４参照）に属する光源３のみを点灯させる。このとき、プリント基板１４に照射される光は全反射されて、上記ＣＣＤカメラ１１にはほとんど入らない。これに対して、マーク９に照射される光は乱反射し、その一部がＣＣＤカメラ１１に入る。この結果、上記マーク９は、背景をなすプリント基板１４と比較して明るく見えるようになる。
【００２４】
このように、プリント基板１４及びその上に付されたマークの表面状態に応じて、マーク９とその背景をなすプリント基板１４との間のコントラストを強調するように、照明光源部２における光源３を選択的に点灯させることにより、上記ＣＣＤカメラ１１により一層鮮明な画像が得られるようになり、装置によるマーク９の認識精度を向上させることができる。
【００２５】
また、更に、前述した実施の形態では、上記光路調整板５が、その光出射面において３つの小領域６，７及び８に区画されているが、これに限定されることなく、２つの若しくは３つより多い小領域に区画してもよい。特に、３つより多い小領域に区画した場合には、それら各小領域の光通過面についてそれぞれ異なる屈折率を設定し、照明光源部からの光を、各光通過面において異なる屈折角度で屈折させることにより、プリント基板及びその上に付されたマーク等の対象物に対して、照明光源部からの光をより効果的に集光させることができる。その結果、上記対象物を認識する上で好適な照明光を照射することができるようになる。
【００２６】
図８に、光路調整板の一変形例を示す。この光路調整板２５では、同心円をなす複数の帯状小領域２６ごとに、その光通過面２６ａが、各々曲率が異なる曲面の一部により構成されている。これら小領域２６の屈折率は、中心に近いほど小さく設定されている。この光路調整板２５を用いた場合、照明光源部からの光は、各光通過面２６ａにおけるそれぞれの点で、それぞれプリント基板及びその上に付されたマーク等の対象物に対して指向するように屈折させられる。これにより、プリント基板及びその上に付されたマーク等の対象物に対して、照明光源部からの光をきめ細かく集光させることができる。
【００２７】
図９には、光路調整板のまた別の変形例を示す。この光路調整板２７では、照明光の入射面及び出射面の両方が、同心円をなす帯状小領域２８，２９，３０に区画されている。これら各帯状小領域は、それぞれ、屈折率の異なる光通過面２８ａ，２９ａ，３０ａを有しており、そのうち、光通過面２９ａ及び３０ａは、凸状曲面の一部により構成されている。各小領域２８，２９，３０の屈折率は、中心に近いほど小さく設定されている。この光路調整板２７は、片面にのみ小領域が形成されたものと比べて、その集光作用が大きく、プリント基板及びその上に付されたマーク等の対象物に対して、より効果的に照明光を集光させることができる。
また、特に図示しないが、光路調整板の各光通過面を梨地状（つまり表面のザラついた磨りガラス状）に加工してもよい。この場合には、照明光源部からの光を、所定の屈折率を有する各光通過面による集光効果を維持する範囲で拡散させた上で、上記対象物を含む所定領域に照射することができる。
【００２８】
更に、前述した実施の形態では、上記照明光源部２の光源３として白色ＬＥＤを用いたが、これに限定されることはなく、例えばＲＧＢ（赤緑青）のいずれかの色を発色するＬＥＤのような光源を用いてもよい。これに関して、図１０に、かかる光源を備えた照明光源部４２を示す。
この照明光源部４２では、各円周上に配置される光源４３として、それぞれ、ＲＧＢ（赤緑青）のいずれかの色を発色可能なＬＥＤが設けられており、各光源４３の電流値を制御することにより明度及び彩度が調整されたＲＧＢを混ぜ合わせてなる色の光を照明光源部４２の照明光として、複数色の光を発することができる。
【００２９】
かかる照明光源部４２によれば、例えば、緑色のプリント基板にマークが付されている場合に、緑色の補色である「赤色」の照明光を発して（つまりＲ光源のみ点灯させる）、マークの背景をなすプリント基板を暗くすることができる。この場合において、マークの色が緑系でなければ、マークに照射された「赤色」の照明光が、ＣＣＤカメラに取り込まれ、プリント基板とマークとの間のコントラストが強調された一層鮮明な画像が得られるようになる。
また、例えば、赤色のプリント基板にマークが付されている場合、この実施の形態では、Ｇ及びＢ光源を点灯させ、両光源の電流値を制御して、赤色の補色である「青緑色」の照明光を構成し、マークの背景をなすプリント基板を暗くすることができる。
【００３０】
更に、プリント基板とマークとの間のコントラストを強調するには、マークの色の補色を構成して、マークを暗くすることも考えられる。例えば、白色のプリント基板上に黄色の接着剤によるマークが付されている場合、照明光源部４２において、Ｒ及びＢ光源を点灯させ、両光源の電流値を制御して、黄色の補色である「青紫色」の照明光を構成する。これにより、マークが暗くなる一方、プリント基板に照射された「青紫色」の照明光が、ＣＣＤカメラに取り込まれて、プリント基板とマークとの間のコントラストが強調されることとなる。
【００３１】
このように、例えばＲＧＢ等の各色の光源４３を備えた照明光源部４２では、各光源４３の電流値を制御し、プリント基板又はマークの色の補色を構成して、マークとプリント基板との間のコントラストを強調することができる。これによって、上記ＣＣＤカメラにより一層鮮明な画像が得られ、装置によるマークの認識精度を向上させることができる。
【００３２】
また、照明光源部において、プリント基板又はマークの色の補色を構成し得る光源としては、例えば３-ＩＮ-１型のＬＥＤのような複数色を発色し得る光源を用いてもよい。この３-ＩＮ-１型のＬＥＤは、ＲＧＢ（赤緑青）の３色のＬＥＤを含んでおり、各色の電流値が制御されて明度及び彩度が調整されることにより、それ単独で複数色を発色することができる。
図１１は、かかる３-ＩＮ-１型のＬＥＤを含む照明回路の一例を示す回路図である。この照明回路４５において複数設けられた３-ＩＮ-１型のＬＥＤ４７は、それぞれ、ＲＧＢのＬＥＤが互いに平行に配列されてなるもので、全て直列に接続されている。この照明回路４５では、これら３-ＩＮ-１型のＬＥＤ４７に流れる電流が、各色のＬＥＤ毎に、照明制御部４９により制御されるようになっている。このようにＬＥＤが直列に接続される照明回路４５では、消費電力が比較的少なくて済む。
【００３３】
図１０に示す照明光源部４０における場合のように、各光源４３がＲＧＢのいずれか１色のみ発色するもので、光源４３からの光の色がプリント基板及びマーク上で混ざり合って補色を構成する場合には、例えば、プリント基板又はマークの表面に凹凸があると、異なる角度から照射される各色がそれぞれ異なる角度に反射して、プリント基板又はマークの表面が虹色に輝き、色むらが生じる可能性があるが、上記３-ＩＮ-１型のＬＥＤ４７からなる光源を備えた照明光源部によれば、光源毎に、プリント基板又はマークの色の補色を帯びる照明光を照射することができるため、色むらのない照明光を照射することが可能となり、その結果、いかなるプリント基板又はマークの表面状態にも適宜に対応して、マークとプリント基板との間のコントラストを確実に強調することができる。
また、上記３−ＩＮ−１型のＬＥＤ４７を有する照明光源部では、光源を異なる色毎に用意する必要がなく、光源の数を比較的少なくすることができ、これにより、照明光源部の小型化及び軽量化を促進することができる。
【００３４】
前述した実施の形態において、照明光源部における光源としては、蛍光灯又は電球を用いてもよい。また、上記光源としては、色や波長の異なる光を放射する光源を用いてもよい。この光源の選択に際しては、上記ＣＣＤカメラにより鮮明な画像が得られるように、プリント基板又はその上に付されたマークの表面状態に応じた好適な色や波長の光源を選択するようにしてもよい。
また、更に、プリント基板及びマーク等の対象物と照明光源部との間に、例えば所望の色や波長を備えた照明光を得ることなどを目的としてフィルタ部材が配置される場合には、このフィルタ部材を加工して上記光路調整部材と兼用できるようにしても良い。
【００３５】
尚、本発明は、例示された実施の形態に限定されるものでなく、その要旨を逸脱しない範囲において、種々の改良あるいは設計上の変更が可能であることは言うまでもない。
【００３６】
【発明の効果】
以上の説明から明らかなように、上記第１の発明によれば、照明装置において、照明光が照射されるべき対象物と該対象物を照明する照明光源部との間に、光の入射面及び出射面の少なくとも一方が屈折率の異なる小領域に区画されている光路調整部材が配置され、該照明光源部から入射した光を異なる屈折角で出射させることにより、該出射光を上記対象物を含む所定領域に集光させて、対象物に対して好適な照明光を照射することができ、安定した対象物の認識及び実装作業を行うことができる。また、上記照明光源部においては、上記光路調整部材の各小領域に対向して設けられた複数の光源が、所定の基板上で、直径の異なる円周毎に光源グループを構成しつつ、同心円状に配列されるので、対象物に対して特定の方向から均等な照度の照明光を照射することが可能であり、一層安定した対象物の認識及び実装作業を行うことができる。更に、各光源がそれぞれ単独で複数色を発色し得る光源であるため、各光源内で、その電流値を制御することにより明度及び彩度が調整された各色（例えばＲＧＢ）を混ぜ合わせてなる色の光を照明光源部の照明光として、複数色の光を発することができる。その結果、いかなるプリント基板又は対象物の表面状態にも適宜に対応して、対象物とプリント基板との間のコントラストを強調し得る光を照射することができる。また、かかる光源を備えた照明光源部では、光源を例えば赤緑青の各色別に用意する必要がなく、光源数を少なくすることができ、これによって、照明光源部の小型化及び軽量化を促進することができる。更に、光路調整部材においては、少なくとも最も内側に位置する小領域の光通過面が、部材本体の平面方向に略平行な面をなしているため、最も内側に位置する小領域に対向する光源のみを点灯させることで、屈折のない照明光を対象物の表面に対して照射することができ、例えば対象物の表面が鏡面状になっている場合には、かかる照明光の照射により、対象物を適切に認識することができる。
【００３７】
また、上記第２の発明によれば、上記光路調整部材における光の入射面及び出射面の少なくとも一方が同心円をなす複数の帯状小領域に区画され、これら帯状小領域の出射側の屈折率が、中心に近いほど小さく設定されているので、出射光を各小領域を通過する照明光を中心側に向って集光させることができる。
【００３８】
更に、上記第３の発明によれば、上記光路調整部材における複数の小領域の光通過面が、各々曲率が異なる曲面の一部によりそれぞれ構成されているので、照明光源部からの光を、各光通過面におけるそれぞれの点で、それぞれ対象物に指向するように屈折させて、上記対象物に対してきめ細かく集光させることができる。
【００３９】
また、更に、上記第４の発明によれば、上記光路調整部材における光の入射面及び出射面の両方が屈折率の異なる複数の小領域に区画され、各小領域の両方の光通過面は共に凸状曲面の一部により構成されているので、両面側での屈折を利用して大きな集光効果を得ることが可能になる。
【００４０】
また、更に、上記第５の発明によれば、上記光路調整部材における各小領域の光出射面が磨りガラス状に形成されているので、照明光源部からの光を、所定の屈折率を有する各光通過面による集光効果を維持する範囲で拡散させた上で、対象物を含む所定領域に照射することができる。
【００４１】
また、更に、上記第６の発明によれば、上記各光源が、プリント基板又はそれに付されたマークの色に応じて、その補色関係の色の照明光を照射し得るので、プリント基板及びマークに対して、照明光源部全体として、プリント基板又はマークの色の補色を帯びる照明光を照射することができ、これにより、マークとプリント基板との間のコントラストが強調されて、一層鮮明な画像が得られ、装置によるマークの認識精度を向上させることができる。
【図面の簡単な説明】
【図１】  本発明の実施の形態に係る実装装置の全体構成を概略的に示す斜視図である。
【図２】  上記実装装置に装備された照明装置の縦断面説明図である。
【図３】  上記照明装置の斜視図である。
【図４】  上記照明装置における照明光源部の平面図である。
【図５】  （ａ）上記照明装置における光路調整部材の平面図である。
（ｂ）上記光路調整部材の斜視図である。
（ｃ）図５ａにおけるＸ−Ｘ線に沿った断面説明図である。
【図６】  上記照明装置による対象物の照明中の対象物への集光状態を示す断面説明図である。
【図７】  （ａ）マークの鏡面状態に応じて光源を選択的に点灯させた照明光源部を概略的に示す説明図である。
（ｂ）プリント基板の鏡面状態に応じて光源を選択的に点灯させた照明光源部を概略的に示す説明図である。
【図８】  小領域ごとに湾曲した光通過面を備えた光路調整部材の部分断面説明図である。
【図９】  両面において複数の小領域に区画された光路調整部材の断面説明図である。
【図１０】  本発明の他の実施の形態に係る照明光源部の平面図である。
【図１１】  本発明のまた別の実施の形態に係る照明回路の回路図である。
【図１２】  従来の照明装置による対象物の照明中の対象物への集光状態を示す断面説明図である。
【図１３】  また別の従来の照明装置における照明光源部の平面図である。
【符号の説明】
１…実装装置
２…照明光源部
３…光源
５…光路調整部材
６，７，８，２６，２８，２９，３０…小領域
６ａ，７ａ，８ａ，２６ａ，２８ａ，２９ａ，３０ａ…光通過面
９…マーク
１０…照明装置
１４…プリント基板
【図１】
0003668383.tif 000002
【図２】
0003668383.tif 000003
【図３】
0003668383.tif 000004
【図４】
0003668383.tif 000005
【図５】
0003668383.tif 000006
【図６】
0003668383.tif 000007
【図７】
0003668383.tif 000008
【図８】
0003668383.tif 000009
【図９】
0003668383.tif 000010
【図１０】
0003668383.tif 000011
【図１１】
0003668383.tif 000012
【図１２】
0003668383.tif 000013
【図１３】
0003668383.tif 000014